(57)【要約】【課題】光ファイバの結線確認やメンテナンス等の容易化が可能な光分岐システムを提供すること。【解決手段】光ファイバを介して導入された光信号を複数に分岐する光カップラ110と、導入光または分岐光をモニタする複数の光モニタ108,119〜122と、導入光の入力または分岐光の出力を行うための複数のコネクタ102,127〜130と、光モニタ108,119〜122からの情報を処理するとともに通信機能を有するコントローラ146とを有する光分岐ユニット1および同様の構造を有する光分岐ユニット2〜9が複数接続されてなる本体部40と、各光分岐ユニットのコントローラからの光モニタ情報を受け取り、各光分岐ユニット内および各光分岐ユニット間の結線状態を監視する監視部10とを有する。【選択図】図２
2005294924.tif 000002
【特許請求の範囲】
【請求項１】
光ファイバを介して導入された光信号を複数に分岐する光分岐手段と、導入光または分岐光をモニタする複数の光モニタとを有する本体部と、光モニタからの情報を受け取り、前記本体部の状態を監視する監視部とを有することを特徴とする光分岐システム。
【請求項２】
前記監視部は、前記本体部からの情報を処理するとともに必要な指令を送る情報処理部と、前記本体部の状態を表示する表示部とを有することを特徴とする請求項１に記載の光分岐システム。
【請求項３】
光ファイバを介して導入された光信号を複数に分岐する光カップラと、導入光または分岐光をモニタする複数の光モニタと、導入光の入力または分岐光の出力を行うための複数のコネクタと、前記光モニタからの情報を処理するとともに通信機能を有するコントローラとを有する光分岐ユニットが複数接続されてなる本体部と、
前記各光分岐ユニットの前記コントローラからの光モニタ情報を受け取り、各光分岐ユニット内および各光分岐ユニット間の結線状態を監視する監視部とを有することを特徴とする光分岐システム。
【請求項４】
光ファイバを介して導入された光信号を複数に分岐する光カップラと、導入光または分岐光をモニタする複数の光モニタと、導入光の入力または分岐光の出力を行うための複数のコネクタと、前記複数のコネクタの近傍に設けられ、結線状態の異常を知らせるための複数の点灯手段と、前記光モニタからの情報を処理するとともに前記点灯手段に信号を与える、通信機能を有するコントローラとを有する光分岐ユニットが複数接続されてなる本体部と、
前記各光分岐ユニットの前記コントローラからの光モニタ情報を受け取り、各光分岐ユニット内および各光分岐ユニット間の結線状態を監視するとともに、結線状態の異常があると判断した場合に、その異常箇所に対応する部分に設けられた点灯手段に動作信号を与えるための指令を対応する光分岐ユニットのコントローラに送る監視部とを有することを特徴とする光分岐システム。
【請求項５】
前記点灯手段はＬＥＤであることを特徴とする請求項４に記載の光分岐システム。
【請求項６】
前記コネクタは電気光複合コネクタであり、接続されるコネクタの間は光ファイバとともにメタル線を有し、通電の状態を検出することにより前記コネクタおよびコネクタ間の結線の導通を確認することを特徴とする請求項３から請求項５のいずれか１項に記載の光分岐システム。
【請求項７】
前記監視部は、各光分岐ユニットのコントローラから受け取った情報を処理するとともに前記コントローラに必要な指令を送る情報処理部と、前記本体部の状態を表示する表示部とを有することを特徴とする請求項４から請求項６のいずれか１項に記載の光分岐システム。
【発明の詳細な説明】
【技術分野】
【０００１】
本発明は、マンションやビル等の多数の部屋を有する建物等のＦＴＴＨ（Fiber To
The Home）化に好適な光分岐システムに関する。
【背景技術】
【０００２】
光ファイバ通信は、今日の情報化社会に欠くことができない公共基盤となっており、特に近年、光ファイバを各家庭に導くＦＴＴＨ（Fiber To The Home）技術が注目されている。
【０００３】
マンションやビル等の多数の部屋を有する建物等におけるＦＴＴＨ化には、光ファイバから送られてきた情報を多数分岐させ、各部屋に導くための光分岐システムが必須であり、このような光分岐に用いられる光配線ユニットが特許文献１に示されている。
【０００４】
ところで、建物の規模が大がかりになると、光分岐システムも大がかりとなり、各光モジュールを繋ぐ光ファイバの結線コードが膨大となり、結線誤りの確認、メンテナンスが非常に煩雑になることが余儀なくされており、したがって、これらを簡略化できる技術が望まれているが、上記特許文献１には、光部品の安定支持を実現して接続切り換え等の作業を効率化することは記載されているものの、このような結線コードの結線誤りの確認およびメンテナンスについては非常に困難であった。
【特許文献１】特開２００２−５５２３８号公報
【発明の開示】
【発明が解決しようとする課題】
【０００５】
本発明はかかる事情に鑑みてなされたものであって、光ファイバの結線確認やメンテナンス等の容易化が可能な光分岐システムを提供することを目的とする。
【課題を解決するための手段】
【０００６】
上記課題を解決するため、本発明の第１の観点では、光ファイバを介して導入された光信号を複数に分岐する光分岐手段と、導入光または分岐光をモニタする複数の光モニタとを有する本体部と、光モニタからの情報を受け取り、前記本体部の状態を監視する監視部とを有することを特徴とする光分岐システムを提供する。
【０００７】
この場合に、前記監視部は、前記本体部からの情報を処理するとともに必要な指令を送る情報処理部と、前記本体部の状態を表示する表示部とを有するものとすることができる。
【０００８】
また、本発明の第２の観点では、光ファイバを介して導入された光信号を複数に分岐する光カップラと、導入光または分岐光をモニタする複数の光モニタと、導入光の入力または分岐光の出力を行うための複数のコネクタと、前記光モニタからの情報を処理するとともに通信機能を有するコントローラとを有する光分岐ユニットが複数接続されてなる本体部と、前記各光分岐ユニットの前記コントローラからの光モニタ情報を受け取り、各光分岐ユニット内および各光分岐ユニット間の結線状態を監視する監視部とを有することを特徴とする光分岐システムを提供する。
【０００９】
本発明の第３の観点では、光ファイバを介して導入された光信号を複数に分岐する光カップラと、導入光または分岐光をモニタする複数の光モニタと、導入光の入力または分岐光の出力を行うための複数のコネクタと、前記複数のコネクタの近傍に設けられ、結線状態の異常を知らせるための複数の点灯手段と、前記光モニタからの情報を処理するとともに前記点灯手段に信号を与える、通信機能を有するコントローラとを有する光分岐ユニットが複数接続されてなる本体部と、前記各光分岐ユニットの前記コントローラからの光モニタ情報を受け取り、各光分岐ユニット内および各光分岐ユニット間の結線状態を監視するとともに、結線状態の異常があると判断した場合に、その異常箇所に対応する部分に設けられた点灯手段に動作信号を与えるための指令を対応する光分岐ユニットのコントローラに送る監視部とを有することを特徴とする光分岐システムを提供する。
【００１０】
上記第３の観点において、前記点灯手段としてＬＥＤを用いることができる。また、上記第２または第３の観点において、前記コネクタを電気光複合コネクタとし、接続されるコネクタの間は光ファイバとともにメタル線を有し、通電の状態を検出することにより前記コネクタおよびコネクタ間の結線の導通を確認するようにすることができる。
【００１１】
上記第２または第３の観点において、前記監視部は、各光分岐ユニットのコントローラから受け取った情報を処理するとともに前記コントローラに必要な指令を送る情報処理部と、前記本体部の状態を表示する表示部とを有するものとすることができる。
【発明の効果】
【００１２】
本発明の第１の観点によれば、光ファイバを介して導入された光信号を複数に分岐する本体部において、導入光および分岐光を光モニタでモニタし、光モニタからの情報によって監視部にて本体部の状態を監視するので、監視部にて結線状態の確認や光入出力レベルの状態を容易に行うことができるとともに、完成図面や接続図面等に頼らずに異常箇所を容易に把握することができ、結線確認やメンテナンス等の容易化を図ることができる。
【００１３】
また、本発明の第２の観点によれば、光ファイバを介して導入された光信号を複数に分岐する光カップラを有し、導入光の入力または分岐光の出力を行うための複数のコネクタを有する光分岐ユニットを複数接続してなる本体部において、各光分岐ユニット毎に、導入光または分岐光を光モニタでモニタし、この光モニタからの情報をコントローラを介して監視部に送り、各光分岐ユニット内および各光分岐ユニット間の結線状態を監視するので、監視部にて各光分岐ユニット内および各光分岐ユニット間の結線状態の確認や光入出力レベルの状態を容易に行うことができるとともに、完成図面や接続図面等に頼らずに異常箇所を容易に把握することができ、結線確認やメンテナンス等の容易化を図ることができる。また、複数の分岐ユニットを接続して用いるので、適用の自由度が高い。
【００１４】
さらに、本発明の第３の観点によれば、光ファイバを介して導入された光信号を複数に分岐する光カップラを有し、導入光の入力または分岐光の出力を行うための複数のコネクタを有する光分岐ユニットを複数接続してなる本体部において、各光分岐ユニット毎に、導入光または分岐光を光モニタでモニタし、この光モニタからの情報をコントローラを介して監視部に送り、各光分岐ユニット内および各光分岐ユニット間の結線状態を監視し、かつ監視部は、結線状態の異常があると判断した場合に、その異常箇所に関連する部分に設けられた点灯手段に動作信号を与えるので、監視部にて各光分岐ユニット内および各光分岐ユニット間の結線状態の確認や光入出力レベルの状態を容易に行うことができるとともに、完成図面や接続図面等に頼らずに異常箇所を容易に把握することができる。さらに、点灯手段により異常箇所を容易に把握することができるので、作業者が迅速かつ確実に作業を実施することができる。
【発明を実施するための最良の形態】
【００１５】
以下、添付図面を参照して、本発明の実施形態ついて具体的に説明する。
図１は、本発明の一実施形態に係る光分岐システムの全体構成を示す概略図である。この光分岐システム１００は、光ファイバーを伝送されてきた光信号をマンション等の各部屋へ分岐するためのものであり、９個の光分岐ユニット１〜９と、光分岐ユニット１〜９の監視を行うための監視装置１０とを有している。光分岐ユニット１〜９のうち５つの光分岐ユニット１〜５が第１のラック２０の各サブラックに収容され、４つの光分岐ユニット６〜９が第２のラック３０の各サブラックに収容されており、これら光分岐ユニット１〜９により本体部４０が構成されている。なお、第１のラック２０と第２のラック３０とは離隔して設けられている。
【００１６】
光分岐ユニット１は、情報の載った光信号を４分岐し、光分岐ユニット２〜５に導く。また、光分岐ユニット２は、光分岐ユニット１から導かれた光信号を４分岐し、光分岐ユニット６〜９に導く。光分岐ユニット３〜５は、光分岐ユニット１から導かれた光信号を４分岐し、各部屋へ導く。また、光分岐ユニット６〜９は、光分岐ユニット２から導かれた光信号を４分岐し、各部屋へ導く。
【００１７】
次に、光分岐ユニット１について詳細に説明する。
図２は、光分岐ユニット１を示す概略構成図である。この光分岐ユニット１は、筐体１０１を有し、この筐体１０１の背面には、電気光複合コネクタ１０２が設けられている。この電気光複合コネクタ１０２は、筐体１０１側の受け部１０２ａに外部側の差し込み部１０２ｂが差し込まれるようになっており、これにより外部の光ファイバコード内の光ファイバ１０３および電気信号を導通させるメタル線１０４が、筐体１０１内の光ファイバコード内の光ファイバ１０５およびメタル線１０６に接続されるようになっている。メタル線１０６は、後述するマイクロコントローラ１４６に接続されている。光ファイバ１０３には情報が載った光信号が伝送され、メタル線１０４は電気信号が伝送される。
【００１８】
外部の光ファイバ１０３からの光信号は、電気光複合コネクタ１０２を介して筐体１０１内の光ファイバ１０５に導かれる。光ファイバ１０５は、光分岐カップラ１０７に接続されており、光分岐カップラ１０５で分岐した光の一方が光モニタ１０８に導かれ、他方が光ファイバ１０９を通って光分岐／ＷＤＭカップラ１１０に導かれる。
【００１９】
光分岐／ＷＤＭカップラ１１０に導かれた光信号は、その中で４分岐され、それぞれの分岐出力は、光ファイバ１１１，１１２，１１３，１１４を介して光分岐カップラ１１５，１１６，１１７，１１８に導かれる。光分岐カップラ１１５，１１６，１１７，１１８で分岐した光の一方は、それぞれ光モニタ１１９，１２０，１２１，１２２に導かれ、他方は、それぞれ光ファイバ１２３，１２４，１２５，１２６を介して筐体１０１の背面に設けられた電気光複合コネクタ１２７，１２８，１２９，１３０に導かれる。
【００２０】
光モニタ１０８，１１９，１２０，１２１，１２２のモニタ信号は、それぞれ信号線であるメタル線１３１，１３２，１３３，１３４，１３５を介して光パワー表示器１３６，１３７，１３８，１３９，１４０に送られ、パワー表示されるとともに、メタル線１４１，１４２，１４３，１４４，１４５を介してマイクロコントローラ１４６に送られる。マイクロコントローラ１４６には入力ポート１４７および入出力ポート１４８が設けられている。
【００２１】
入力ポート１４７には、上記メタル線１４１，１４２，１４３，１４４，１４５が接続され、モニタ信号が入力されるようになっている。また、入出力ポート１４８には、上記メタル線１０６が接続され、さらに上記電気光複合コネクタ１２７，１２８，１２９，１３０に至るメタル線１４９，１５０，１５１，１５２が接続されている。また、メタル線１０６，１４９，１５０，１５１，１５２には、それぞれＬＥＤ１５３，１５４，１５５，１５６，１５７が接続されている。入出力ポート１４８は、メタル線１０６を介して伝送される電気信号の入力と、その入力電気信号のメタル線１４９，１５０，１５１，１５２への出力を切り換え可能となっている。なお、入出力ポート１４８の代わりに入力ポートおよび出力ポートを別々に設けてもよい。
【００２２】
上記電気光複合コネクタ１２７，１２８，１２９，１３０は、それぞれ筐体１０１側の受け部１２７ａ，１２８ａ、１２９ａ，１３０ａに外部側の差し込み部１２７ｂ，１２８ｂ，１２９ｂ，１３０ｂが差し込まれるようになっており、受け部１２７ａ，１２８ａ、１２９ａ，１３０ａには、それぞれ上記光ファイバ１２３，１２４，１２５，１２６が、またそれぞれ上記メタル線１４９，１５０，１５１，１５２が接続されており、差し込み部１２７ｂ，１２８ｂ，１２９ｂ，１３０ｂには、それぞれ光ファイバ１５８，１５９，１６０，１６１が、またそれぞれメタル線１６２，１６３，１６４，１６５が接続されている。これら光ファイバ１５８，１５９，１６０，１６１およびメタル線１６２，１６３，１６４，１６５は、それぞれ光分岐ユニット２，３，４，５に接続されており、光分岐ユニット１で４分岐された光信号および電気信号をこれらを介して光分岐ユニット２，３，４，５に伝送するようになっている。なお、電気光複合コネクタ１０２，１２７，１２８，１２９，１３０を設けているため、光信号と電気信号の伝送を同時に行うことができ、かつ光分岐ユニットを収納する際等には、受け部１２７ａ，１２８ａ、１２９ａ，１３０ａと差し込み部１２７ｂ，１２８ｂ，１２９ｂ，１３０ｂとを容易に着脱可能であるから利便性が高い。
【００２３】
一方、マイクロコントローラ１４６に光モニタ１０８，１１９，１２０，１２１，１２２から入力されたモニタ情報は、マイクロコントローラ１４６に接続されたメタル線１６６、コネクタ１６７、外部のメタル線１６８を介して監視装置１０に導かれる。同様に監視装置１０からの指令もこのメタル線１６８を介して入力される。また、筐体１０１内にはパワーサプライ１６９が設けられており、このパワーサプライ１６９には、監視装置１０からメタル線１７０、コネクタ１６７、メタル線１７１を介して電力が供給されるようになっている。そして、このパワーサプライ１６９は、メタル線１７２を介して前記光モニター１０８、１１９，１２０，１２１，１２２および光パワー表示器１３６，１３７，１３８，１３９，１４０に給電し、かつメタル線１７３を介してマイクロコントローラ１４６に給電するとともに、マイクロコントローラ１４６およびメタル線１０６，１４９，１５０，１５１，１５２を介して点灯手段として用いるＬＥＤ１５３，１５４，１５５，１５６、１５７に給電することが可能となっている。この場合に、マイクロコントローラ１４６は、光モニタ１０８，１１９，１２０，１２１，１２２のモニタ信号を処理し、この処理情報をメタル線１６８を介して監視装置１０へ導く。また、監視装置１０がこれらモニタ信号に基づき異常であると判断した場合には、マイクロコントローラ１４６に指令を送り、パワーサプライ１６９からＬＥＤ１５３，１５４，１５５，１５６，１５７のうち対応するＬＥＤに給電させて点滅させる。なお、マイクロコントローラ１４６に電力出力ポートを設けてパワーサプライ１６９から電力供給を受けてマイクロコントローラ１４６経由で光モニタ１０８，１１９，１２０，１２１，１２２および光パワー表示器１３６，１３７，１３８，１３９，１４０に電力供給してもよい。
【００２４】
なお、コネクタ１６７は、筐体１０１側の受け部１６７ａと、受け部１６７ａに差し込まれる差し込み部１６７ｂとを有し、これにより、メタル線１６６と１６８との接続およびメタル線１７１と１７０との接続が行われる。
【００２５】
次に、図３を参照して光分岐ユニット２について説明する。
光分岐ユニット２の基本構造は光分岐ユニット１と同一であり、光分岐ユニット１と対応する部材には、百の位を２として十の位および一の位を全く同一にしている。例えば、電気光複合コネクタ２０２，２２７，２２８，２２９，２３０は、光分岐ユニット１の電気光複合コネクタ１０２，１２７，１２８，１２９，１３０に対応し、光分岐／ＷＤＭカップラ２１０は光分岐／ＷＤＭカップラ１１０に対応し、光分岐カップラ２０７，２１５，２１６，２１７，２１８は光分岐カップラ１０７，１１５，１１６，１１７，１１８に対応し、光モニタ２０８，２１９，２２０，２２１，２２２は、光モニタ１０８，１１９，１２０，１２１，１２２に対応し、光パワー表示器２３６，２３７，２３８，２３９，２４０は、光パワー表示器１３６，１３７，１３８，１３９，１４０に対応し、マイクロコントローラ２４６は、マイクロコントローラ１４６に対応し、ＬＥＤ２５３，２５４，２５６，２５７は、ＬＥＤ１５３，１５４，１５５，１５６、１５７に対応する等である。
【００２６】
この光分岐ユニット２は、光分岐ユニット１から光ファイバ１５８およびメタル線１６２を伝送されてきた光信号および電気信号を光分岐ユニット１と全く同様に４分岐し、４分岐された光信号および電気信号をそれぞれ光ファイバ２５８，２５９，２６０，２６１およびメタル線２６２，２６３，２６４，２６５を介して光分岐ユニット６，７，８，９に伝送するようになっている。マイクロコントローラ２４６からの情報はメタル線２６８を介して監視装置１０へ導かれ、監視装置１０からの指令もメタル線２６８を介して入力されるようになっている。また、監視装置１０からメタル線２７０を介して電力が供給されるようになっている。
【００２７】
次に、図４を参照して光分岐ユニット６について説明する。
光分岐ユニット６の基本構成も光分岐ユニット１と同一であり、光分岐ユニット１と対応する部材には、百の位を６として十の位および一の位を全く同一にしている。例えば、電気光複合コネクタ６０２，６２７，６２８，６２９，６３０は、光分岐ユニット１の電気光複合コネクタ１０２，１２７，１２８，１２９，１３０に対応し、光分岐／ＷＤＭカップラ６１０は光分岐／ＷＤＭカップラ１１０に対応し、光分岐カップラ６０７，６１５，６１６，６１７，６１８は光分岐カップラ１０７，１１５，１１６，１１７，１１８に対応し、光モニタ６０８，６１９，６２０，６２１，６２２は、光モニタ１０８，１１９，１２０，１２１，１２２に対応し、光パワー表示器６３６，６３７，６３８，６３９，６４０は、光パワー表示器１３６，１３７，１３８，１３９，１４０に対応し、マイクロコントローラ６４６は、マイクロコントローラ１４６に対応し、ＬＥＤ６５３，６５４，６５６，６５７は、ＬＥＤ１５３，１５４，１５５，１５６、１５７に対応する等である。
【００２８】
この光分岐ユニット６は、光分岐ユニット２から光ファイバー２５８およびメタル線２６２を伝送されてきた光信号および電気信号を光分岐ユニット１と全く同様に４分岐し、４分岐された光信号および電気信号をそれぞれ光ファイバ６５８，６５９，６６０，６６１およびメタル線６６２，６６３，６６４，６６５を介して各部屋へ光信号および電気信号を伝送するようになっている。マイクロコントローラ６４６からの情報はメタル線６６８を介して監視装置１０へ導かれ、監視装置１０からの指令もメタル線６６８を介して入力されるようになっている。また、監視装置１０からメタル線６７０を介して電力が供給されるようになっている。
【００２９】
光分岐ユニット３，４，５，７，８，９についても、この光分岐ユニット６と全く同様の構成を有しており、光分岐ユニット３，４，５は、光分岐ユニット１からの光信号および電気信号を４分岐して各部屋へ伝送し、光分岐ユニット７，８，９は、光分岐ユニット２からの光信号および電気信号を４分岐して各部屋へ伝送する。また、これら光分岐ユニット３，４，５，７，８，９における光モニタによるモニタ信号は、それぞれメタル線３６８，４６８，５６８，７６８，８６８，９６８を介して監視装置１０に導かれ、監視装置１０からの電力は、それぞれメタル線３７０，４７０，５７０，７７０，８７０，９７０を介して光分岐ユニット３，４，５，７，８，９に導かれる。
【００３０】
次に、図５を参照して監視装置１０について説明する。
監視装置１０は、データ処理装置１００１と、表示装置１００２と、電源１００３とを有している。データ処理装置１００１は、メタル線１６８，２６８，３６８，４６８，５６８，６６８，７６８，８６８，９６８を介して各光分岐ユニットから入力されたモニタ情報を処理し、その際の各光分岐ユニットの状態を把握し、異常があった場合には、その異常箇所に指令を送り、対応するＬＥＤを点滅させる。また、表示装置１００２は、モニタ情報に基づいた各光分岐ユニットの状態を表示するようになっている。さらに、電源１００３は、メタル線１７０，２７０，３７０，４７０，５７０，６７０，７７０，８７０，９７０を介して各光分岐ユニットのパワーサプライへ給電するとともに、データ処理装置１００１にも給電するようになっている。
【００３１】
次に、このように構成される動作について説明する。
まず、光ファイバコード内に収納された光ファイバー１０３からの光信号は、電気光複合コネクタ１０２を介して光分岐ユニット１に至り、光分岐カップラ１０７を経た後、光分岐／ＷＤＭカップラ１１０で４分岐され、電気光複合コネクタ１２７，１２８，１２９，１３０および光ファイバコード内に収納された光ファイバ１５８，１５９，１６０，１６１を介して光分岐ユニット２，３，４，５に送られる。また、光分岐ユニット２の光出力は、光分岐／ＷＤＭカップラ２１０で４分岐され、電気光複合コネクタ２２７，２２８，２２９，２３０および光ファイバコード内に収納された光ファイバ２５８，２５９，２６０，２６１を介してそれぞれ光分岐ユニット６，７，８，９に送られる。そして、このようにして光信号が送られた光分岐ユニット３，４，５，６，７，８，９においてそれぞれ４分岐して合計２８分岐し、各部屋に光情報が送られる。また、光分岐ユニット１には、メタル線１０４からの電気信号が電気光複合コネクタ１０２を介して光分岐ユニット１に導かれ、そこで４分岐された電気信号が、電気光複合コネクタ１２７，１２８，１２９，１３０およびメタル線１６２，１６３，１６４，１６５を介して光分岐ユニット２，３，４，５に送られる。また、光分岐ユニット２の電気信号は、その中で４分岐され、電気光複合コネクタ２２７，２２８，２２９，２３０およびメタル線２６２，２６３，２６４，２６５を介してそれぞれ光分岐ユニット６，７，８，９に送られ、これら光分岐ユニットから同様に４分岐して合計２８分岐し、各部屋に光情報とともに電気情報が送られる。
【００３２】
このような光分岐システムにおいては、各光分岐ユニットに設けられた光モニタのモニタ情報を、各光分岐ユニット内のマイクロコントローラに伝送し、例えば、光分岐ユニット１の場合には、上述したように、光モニタ１０８，１１９，１２０，１２１，１２２のモニタ情報を、マイクロコントローラ１４６に伝送し、各マイクロコントローラはその情報を監視装置１０へ転送し、監視装置１０のデータ処理装置１００１では、各光分岐ユニットから入力されたモニタ情報を処理し、表示装置１００２にその状態を表示して全光カップラの状態を監視可能となっている。
【００３３】
そして、分岐ユニットの光モニタが異常値を示した場合には、該当する光分岐ユニットのマイクロコントローラからそのことが監視装置１０に通報され、監視装置１０にて異常を把握することができる。また、その場合、監視装置１０はその異常が通報された光モニタに関連する点灯手段としてのＬＥＤを点滅させる指令を送り、当該出力が異常であることを表示させ、その際の各光分岐ユニットの状態を把握し、異常があった場合には、その異常箇所に指令を送り、対応するＬＥＤを点滅させる。また、表示装置１００２は、モニタ情報に基づいた各光分岐ユニットの状態を表示する。
【００３４】
例えば、光分岐ユニット６の光モニタ６０８からのモニタ信号がマイクロコントローラ６４６を介して監視装置１０に送られ、監視装置１０のデータ処理装置１００１が光モニタ６０８のモニタ信号が異常値を示していると判断した場合には、監視装置１０は、光分岐ユニット６のマイクロコントローラ６４６に、光モニタ６０８の光出力に関係する電気光複合コネクタ６０２近傍のコネクタ６０２に対応するＬＥＤ６５３を点滅させるとともに、その上流の光分岐ユニット２のマイクロコントローラ２４６に対応する電気光複合コネクタ２２７近傍のＬＥＤ２５４を点滅させる指令を送り、当該出力が異常であることを表示させる。次に、監視装置１０のデータ処理装置１００１は、上流側の光分岐システム２の光分岐カップラ２１５の光モニタ２１９の出力情報を取り、これが異常値でないことを判断した場合には、光分岐ユニット２の電気光複合コネクタ２２７に接続されている光ファイバー２５８または電気光複合コネクタ６０２の異常との判断に至る。このとき、ＬＥＤ６５３および２５４が点滅しているので、光ファイバー２５８の交換、すなわち、電気光複合コネクタ２２７および６０２の着脱を間違いなく実施することができる。また、光ファイバおよびコネクタ交換後も光モニタのレベルが回復しない場合は、ＬＥＤの点滅信号は解除されないので、マイクロコントローラ２４６にてマイクロコントローラ６４６から送られているＬＥＤ６５３および２５４の点滅信号が確認された場合には、電気光複合コネクタ２２７および６０２の異常でなく、他の箇所に異常があることをさらに特定することができる。
【００３５】
また、本実施形態の光分岐システムは、結線を確認する機能も有する。すなわち、各光分岐ユニットのマイクロコントローラは、対応する光分岐ユニット内の各電気光複合コネクタおよびこれらの近傍のＬＥＤに電気信号を送ることができるので、電気光複合コネクタとそれに接続されたメタル線で繋がった他の光分岐ユニットの電気光複合コネクタの近傍のＬＥＤの点滅とそのコネクタ電気出力入力ポートを持つマクロコントローラにて導通の確認すなわち結線状態の確認を行うことができる。このような手順を繰り返すことにより、全ての現状の結線状態の確認を、結線図との対比を行うことなく、監視装置１０の表示装置１００２上で行うことができ、例えば、第１のラック２０のサブラックに収容された光分岐ユニット１，２，３，４，５と、第２のラック３０に収容された光分岐ユニット６，７，８，９とが離れて設置されている場合でも、結線の確認作業と変更作業とをＬＥＤの指示に従って容易に行うことができ、結線変更図の作成の必要もなくなる。
【００３６】
なお、本発明は上記実施形態に限定されることなく、種々変更可能である。例えば、上記実施形態では、光分岐ユニットを複数用いて光を多数に分岐したが、一つの筐体内で多数分岐するようにしてもよい。また、各光分岐ユニットにおいて光を４分岐したが、これに限るものではない。さらに、光分岐ユニット間の結線も種々の変形が可能である。さらにまた、光分岐ユニットの数やラック数も本実施形態に限るものではない。さらにまた、点灯手段としてＬＥＤを用いたが、これに限るものではない。
【産業上の利用可能性】
【００３７】
本発明は、マンション等の多数の部屋を有する建物の各部屋へ、光情報を供給する場合等に有効に利用することができる。
【図面の簡単な説明】
【００３８】
【図１】本発明の一実施形態に係る光分岐システムを示す概略図。
【図２】図１の光分岐システムの光分岐ユニット１を示す概略構成図。
【図３】図１の光分岐システムの光分岐ユニット２を示す概略構成図。
【図４】図１の光分岐システムの光分岐ユニット６を示す概略構成図。
【図５】図１の光分岐システムの監視装置を示す概略構成図。
【符号の説明】
【００３９】
１，２，３，４，５，６，７，８，９；光分岐ユニット
１０；監視部
２０，３０；ラック
４０；本体部
１００；光分岐システム
１０１；筐体
１０２，１２７，１２８，１２９，１３０；電気光複合コネクタ
１０３，１５８，１５９，１６０，１６１；光ファイバ
１０４，１６２，１６３，１６４，１６５、１６８，１７０；メタル線
１０８，１１９，１２０，１２１，１２２；光モニタ
１０７，１１５，１１６，１１７，１１８；光分岐カップラ
１４６；マイクロコントローラ
１５３，１５４，１５５，１５６，１５７；ＬＥＤ
【図１】
2005294924.tif 000003
【図２】
2005294924.tif 000004
【図３】
2005294924.tif 000005
【図４】
2005294924.tif 000006
【図５】
2005294924.tif 000007